(57)【要約】【課題】開封が容易であり、かつ十分な接着強度を確保できる包装容器を提供する。【解決手段】下方に物品収納用の窪み３を形成した基材１の略矩形状の開口部４をシート状部材２で覆い、開口部４の周縁から水平方向外側に向けて延びる鍔部１０を設け、その鍔部１０の上面の接着領域１１１にシート状部材２を接着して基材１内部を密閉するとともに、開口部４の四隅の少なくとも１つを開封用コーナー部Ｃとし、開封用コーナー部Ｃにおける接着領域１１１ｃの外側に、シート状部材２との非接着領域１１２ｃを設けて開封時のつまみ部５を形成してなる包装容器１００において、開封用コーナー部Ｃにおける接着領域１１１ｃを、上方に盛り上がるように形成する。【選択図】図１
2007297080.tif 000002
【特許請求の範囲】
【請求項１】
下方に物品収納用の窪みを形成した基材の開口部をシート状部材で覆い、前記開口部の周縁から水平方向外側に向けて延びる鍔部を設け、その鍔部の上面の接着領域に前記シート状部材を接着して前記基材内部を密閉するとともに、前記開口部の周縁に設けた鍔部の一部を水平方向外側に突出させて開封用コーナー部とし、前記開封用コーナー部における接着領域の外側に、前記シート状部材との非接着領域を設けて開封時のつまみ部を形成してなる包装容器において、
前記開封用コーナー部における接着領域を、上方に盛り上がるように形成したことを特徴とする包装容器。
【請求項２】
下方に物品収納用の窪みを形成した基材の略矩形状の開口部をシート状部材で覆い、前記開口部の周縁から水平方向外側に向けて延びる鍔部を設け、その鍔部の上面の接着領域に前記シート状部材を接着して前記基材内部を密閉するとともに、前記開口部の四隅の少なくとも１つを開封用コーナー部とし、前記開封用コーナー部における接着領域の外側に、前記シート状部材との非接着領域を設けて開封時のつまみ部を形成してなる包装容器において、
前記開封用コーナー部における接着領域を、上方に盛り上がるように形成したことを特徴とする包装容器。
【請求項３】
前記開封用コーナー部における接着領域の幅を、前記開封用コーナー部以外の部分における接着領域の幅よりも狭くしたことを特徴とする請求項１又は請求項２に記載の包装容器。
【請求項４】
前記開封用コーナー部における接着領域と前記開封用コーナー部以外の部分における接着領域との境界部分を、前記開封用コーナー部以外の部分の側から前記開封用コーナー部の側に向けて上向きのテーパー状に形成したことを特徴とする請求項１乃至請求項３のうちいずれか一つに記載の包装容器。
【請求項５】
前記開封用コーナー部における接着領域を、前記開封用コーナー部の中心における接着領域の上方への盛り上がり高さが最高となり、前記開封用コーナー部における接着領域と前記開封用コーナー部以外の部分における接着領域との境界部分における上方への盛り上がり高さが最低となるように、周方向に沿って山形に形成したことを特徴とする請求項１乃至請求項４のうちいずれか一つに記載の包装容器。
【請求項６】
前記開封用コーナー部における非接着領域よりも外側に、前記つまみ部を突出させたことを特徴とする請求項１乃至請求項５のうちいずれか一つに記載の包装容器。
【請求項７】
下方に物品収納用の窪みを形成した基材の開口部をシート状部材で覆い、前記開口部の周縁から水平方向外側に向けて延びる鍔部を設け、その鍔部の上面の接着領域に前記シート状部材を接着して前記基材内部を密閉するとともに、前記開口部の周縁に設けた鍔部の一部を水平方向外側に突出させて開封用コーナー部とし、前記開封用コーナー部における接着領域の外側に、前記シート状部材との非接着領域を設けて開封時のつまみ部を形成してなる包装容器において、
前記開封用コーナー部における非接着領域に、突起を設けたことを特徴とする包装容器。
【請求項８】
前記開封用コーナー部における接着領域を、上方に盛り上がるように形成したことを特徴とする請求項７に記載の包装容器。
【発明の詳細な説明】
【技術分野】
【０００１】
本発明は、ブリスター包装容器等、開口部をシート状部材で密閉した包装容器に関する。より詳しくは、開封が容易であり、かつ十分な接着強度を確保できる包装容器の開封構造に関する。
【背景技術】
【０００２】
従来、例えば薬液を充填したシリンジを収納するための包装容器として、ブリスター包装容器等が使用されている。
図１４にブリスター包装容器の一例を示す。ブリスター包装容器１００は、下方に物品収納用の窪み３を形成した基材１に収納する物品を入れて、基材１の開口部４をプラスチックフィルム等のシート状部材２で覆い密閉するものである。
【０００３】
基材１の開口部４の周縁には、水平方向外側に向けて延びる鍔部１０が形成されており、鍔部１０の上面に接着領域を設け、その接着領域にシート状部材２の周縁を接着するようになっている。
また、基材１の開口部の四隅のうち少なくとも１つは、開封用コーナー部となっており、この開封用コーナー部では、基材１の接着領域の外側にシート状部材２との非接着領域を設けて、開封時につまみ部５をつまんで、シート状部材２を基材１から剥離して開封するようになっている。
【０００４】
ところで、ブリスター包装容器１００の密閉性を高めるためには、基材１とシート状部材２とを強固に接着する必要があるため、開封時につまみ部５をつまんでシート状部材２を剥離させるにあたり、特に開封開始時に大きな力を必要としていた。そのため、開封時に勢い余って内容物が飛び出したりするなどの問題があった。
【０００５】
これに対して、開封用コーナー部において、接着領域の幅や形状を工夫することにより、開封時に必要な力を低減し容易に開封することができるようにした発明が開示されている（例えば、特許文献１参照。）。
特許文献１に記載された発明によれば、開封用コーナー部における接着領域の幅を、開封用コーナー部以外の部分における接着領域の幅よりも狭く形成することで、開封時に必要な力を低減することができるようになっている。
また、開封用コーナー部中央において、接着領域が外側に向かって角を形成することで、特に開封開始時に必要な力を低減することができるようになっている。
【特許文献１】特開２００２−２２５９３２号公報
【発明の開示】
【発明が解決しようとする課題】
【０００６】
しかし、特許文献１に記載された発明のように、開封用コーナー部における接着領域の幅を狭くしたり、開封用コーナー部中央において角を形成したりすると、確かに開封時に必要な力を低減することはできるが、開封用コーナー部における接着強度自体も低下してしまい、運搬時等の開封の必要がないときに、つまみ部が引っ掛かって予想外に開封してしまう恐れがある。
このように、開封用コーナー部における接着領域の幅や形状を上記のように工夫するだけでは、開封の容易さと、十分な接着強度の確保を両立させることができない。
【０００７】
そこで本発明は、上記従来の課題を解決するためのものであり、開封が容易であり、かつ十分な接着強度を確保できる包装容器を提供するものである。
【課題を解決するための手段】
【０００８】
上記従来の課題を解決するために、請求項１に係る発明の包装容器は、下方に物品収納用の窪み（３）を形成した基材（１）の開口部（４）をシート状部材（２）で覆い、前記開口部（４）の周縁から水平方向外側に向けて延びる鍔部（１０）を設け、その鍔部（１０）の上面の接着領域（３１１）に前記シート状部材（２）を接着して前記基材（１）内部を密閉するとともに、前記開口部（４）の周縁に設けた鍔部（１０）の一部を水平方向外側に突出させて開封用コーナー部（Ｃ）とし、前記開封用コーナー部（Ｃ）における接着領域（３１１ｃ）の外側に、前記シート状部材（２）との非接着領域（３１２ｃ）を設けて開封時のつまみ部（５）を形成してなる包装容器（３００）において、前記開封用コーナー部（Ｃ）における接着領域（３１１ｃ）を、上方に盛り上がるように形成したことを特徴とする。
【０００９】
また、請求項２に係る発明の包装容器は、下方に物品収納用の窪み（３）を形成した基材（１）の略矩形状の開口部（４）をシート状部材（２）で覆い、前記開口部（４）の周縁から水平方向外側に向けて延びる鍔部（１０）を設け、その鍔部（１０）の上面の接着領域（１１１）に前記シート状部材（２）を接着して前記基材（１）内部を密閉するとともに、前記開口部（４）の四隅の少なくとも１つを開封用コーナー部（Ｃ）とし、前記開封用コーナー部（Ｃ）における接着領域（１１１ｃ）の外側に、前記シート状部材（２）との非接着領域（１１２ｃ）を設けて開封時のつまみ部（５）を形成してなる包装容器（１００）において、前記開封用コーナー部（Ｃ）における接着領域（１１１ｃ）を、上方に盛り上がるように形成したことを特徴とする。
【００１０】
また、請求項３に係る発明は、請求項１又は請求項２に記載の発明において、前記開封用コーナー部（Ｃ）における接着領域（１１１ｃ）の幅（Ｗ1）を、前記開封用コーナー部以外の部分（Ａ）における接着領域（１１１ａ）の幅（Ｗ2）よりも狭くしたことを特徴とする。
【００１１】
また、請求項４に係る発明は、請求項１乃至請求項３のうちいずれか一つに記載の発明において、前記開封用コーナー部（Ｃ）における接着領域（１１１ｃ）と前記開封用コーナー部以外の部分（Ａ）における接着領域（１１１ａ）との境界部分（１１１ｂ）を、前記開封用コーナー部以外の部分（Ａ）の側から前記開封用コーナー部（Ｃ）の側に向けて上向きのテーパー状に形成したことを特徴とする。
【００１２】
また、請求項５に係る発明は、請求項１乃至請求項４のうちいずれか一つに記載の発明において、前記開封用コーナー部（Ｃ）における接着領域（２１１ｃ）を、前記開封用コーナー部（Ｃ）の中心（Ｔ）における接着領域の上方への盛り上がり高さが最高となり、前記開封用コーナー部（Ｃ）における接着領域（２１１ｃ）と前記開封用コーナー部以外の部分（Ａ）における接着領域（２１１ａ）との境界部分（２１１ｂ）における上方への盛り上がり高さが最低となるように、周方向に沿って山形に形成したことを特徴とする。
【００１３】
また、請求項６に係る発明は、請求項１乃至請求項５のうちいずれか一つに記載の発明において、前記開封用コーナー部（Ｃ）における非接着領域（１１２ｃ）よりも外側に、前記つまみ部（５）を突出させたことを特徴とする。
【００１４】
また、請求項７に係る発明の包装容器は、下方に物品収納用の窪み（３）を形成した基材（１）の開口部（４）をシート状部材（２）で覆い、前記開口部（４）の周縁から水平方向外側に向けて延びる鍔部（１０）を設け、その鍔部（１０）の上面の接着領域（４１１）に前記シート状部材（２）を接着して前記基材（１）内部を密閉するとともに、前記開口部（４）の周縁に設けた鍔部（１０）の一部を水平方向外側に突出させて開封用コーナー部（Ｃ）とし、前記開封用コーナー部（Ｃ）における接着領域（４１１ｃ）の外側に、前記シート状部材（２）との非接着領域（４１２ｃ）を設けて開封時のつまみ部（５）を形成してなる包装容器（３００）において、前記開封用コーナー部（Ｃ）における非接着領域（４１２ｃ）に、突起（８）を設けたことを特徴とする。
【００１５】
また、請求項８に係る発明は、請求項７に記載の発明において、前記開封用コーナー部（Ｃ）における接着領域（４１１ｃ）を、上方に盛り上がるように形成したことを特徴とする。
【００１６】
なお、括弧内の記号は、発明を実施するための最良の形態および図面に記載された対応要素または対応事項を示す。
【発明の効果】
【００１７】
請求項１に記載の発明によれば、基材の下方に物品収納用の窪みを形成し、開口部をシート状部材で覆い接着することにより、窪みに物品を収納して密閉することができる。また、開口部の周縁から水平方向に向けて延びる鍔部を設け、その鍔部の上面の接着領域にシート状部材を接着することにより、基材内部を確実に密閉することができる。
また、開口部の周縁に設けた鍔部の一部を水平方向外側に突出させて開封用コーナー部とし、開封用コーナー部における接着領域の外側にシート状部材との非接着領域を設けることにより、開封時のつまみ部を形成するとともに、一方の手でつまみ部を持ち、他方の手で非接着領域を持って、両者を引き離すようにして容易に開封することができる。
また、開封用コーナー部における接着領域を、上方に盛り上がるように形成したので、上方からみた接着領域の幅を変更することなく接着量を増大させることができ、十分な接着強度を確保することができる。また、従来のように接着領域が平坦な場合、接着領域の接線は水平方向となるのに対して、接着領域を上方に盛り上がるように形成した場合、剥離開始場所における接着領域の接線は内側から外側に向けて下向きとなる。従って、開封開始時には、接着領域の接線に対するつまみ部の角度を従来よりも大きくすることができ、開封開始時に必要な力を低減することができる。
【００１８】
また、請求項２に記載の発明によれば、基材の下方に物品収納用の窪みを形成し、略矩形状の開口部をシート状部材で覆い接着することにより、窪みに物品を収納して密閉することができる。また、開口部の周縁から水平方向に向けて延びる鍔部を設け、その鍔部の上面の接着領域にシート状部材を接着することにより、基材内部を確実に密閉することができる。
また、開口部の四隅の少なくとも１つを開封用コーナー部とし、開封用コーナー部における接着領域の外側にシート状部材との非接着領域を設けることにより、開封時のつまみ部を形成するとともに、一方の手でつまみ部を持ち、他方の手で非接着領域を持って、両者を引き離すようにして容易に開封することができる。
また、開封用コーナー部における接着領域を、上方に盛り上がるように形成したので、上方からみた接着領域の幅を変更することなく接着量を増大させることができ、十分な接着強度を確保することができる。また、従来のように接着領域が平坦な場合、接着領域の接線は水平方向となるのに対して、接着領域を上方に盛り上がるように形成した場合、剥離開始場所における接着領域の接線は内側から外側に向けて下向きとなる。従って、開封開始時には、接着領域の接線に対するつまみ部の角度を従来よりも大きくすることができ、開封開始時に必要な力を低減することができる。
【００１９】
また、請求項３に記載の発明によれば、請求項１又は請求項２に記載の発明の作用効果に加えて、開封用コーナー部における接着領域の幅を、開封用コーナー部以外の部分における接着領域の幅よりも狭くしたので、基材とシート状部材の十分な接着強度を確保しつつ、開封時に必要な力をさらに低減することができる。
【００２０】
また、請求項４に記載の発明によれば、請求項１乃至請求項３のうちいずれか一つに記載の発明の作用効果に加えて、開封用コーナー部における接着領域と開封用コーナー部以外の部分における接着領域との境界部分の形状を、開封用コーナー部以外の部分の側から開封用コーナー部の側に向けて上向きのテーパー状としたので、境界部分で接着領域が急激に盛り上がることがなく、シート状部材を基材に確実に接着させることができる。
【００２１】
また、請求項５に記載の発明によれば、請求項１乃至請求項４のうちいずれか一つに記載の発明の作用効果に加えて、開封用コーナー部における接着領域を周方向に沿って山形に形成し、開封用コーナー部の中心における接着領域の上方への盛り上がり高さが最高となり、開封用コーナー部における接着領域と開封用コーナー部以外の部分における接着領域との境界部分における上方への盛り上がり高さが最低となるようにしたので、開封用コーナー部の中心の盛り上がりを最も大きくすることができる。従って、開封用コーナー部の中心における接着量が最大となり、この部分で特に接着強度を高めることができる。さらに、開封用コーナー部の中心の剥離開始場所における接着領域の接線は、上方への盛り上がり高さが高い分だけより下向きとなる。そのため、接着領域の接線に対するつまみ部の角度をより大きくすることができ、この部分で特に開封開始時に必要な力を低減することができる。
このように、開封の容易さと十分な接着強度の確保を、開封開始時に最初にシート状部材が剥離する開封用コーナー部の中心で最も効果的に実現することができる。
【００２２】
また、請求項６に記載の発明によれば、請求項１乃至請求項５のうちいずれか一つに記載の発明の作用効果に加えて、開封用コーナー部における非接着領域よりも外側に、つまみ部を突出させたので、非接着領域とつまみ部が密着して隙間が塞がってしまっても、つまみ部の突出した部分を持って開封を開始することができる。
【００２３】
また、請求項７に記載の発明によれば、基材の下方に物品収納用の窪みを形成し、開口部をシート状部材で覆い接着することにより、窪みに物品を収納して密閉することができる。また、開口部の周縁から水平方向に向けて延びる鍔部を設け、その鍔部の上面の接着領域にシート状部材を接着することにより、基材内部を確実に密閉することができる。
また、開口部の周縁に設けた鍔部の一部を水平方向外側に突出させて開封用コーナー部とし、開封用コーナー部における接着領域の外側にシート状部材との非接着領域を設けることにより、開封時のつまみ部を形成するとともに、一方の手でつまみ部を持ち、他方の手で非接着領域を持って、両者を引き離すようにして容易に開封することができる。
また、開封用コーナー部における非接着領域に突起を設けたので、非接着領域とつまみ部の隙間が塞がれることがなく、つまみ部を容易に持つことができる。
【００２４】
また、請求項８に記載の発明によれば、請求項７に記載の発明の作用効果に加えて、開封用コーナー部における接着領域を、上方に盛り上がるように形成したので、上方からみた接着領域の幅を変更することなく接着量を増大させることができ、十分な接着強度を確保することができる。また、従来のように接着領域が平坦な場合、接着領域の接線は水平方向となるのに対して、接着領域を上方に盛り上がるように形成した場合、剥離開始場所における接着領域の接線は内側から外側に向けて下向きとなる。従って、開封開始時には、接着領域の接線に対するつまみ部の角度を従来よりも大きくすることができ、開封開始時に必要な力を低減することができる。
【発明を実施するための最良の形態】
【００２５】
次に、図１乃至図４及び図１４を参照して、本発明の実施形態１に係る包装容器について説明する。
実施形態１に係る包装容器１００は、図１４に示す従来例と同様にブリスター包装容器であり、下方に物品収納用の窪み３を形成した基材１に収納する物品を入れて、基材１の開口部４をプラスチックフィルム等のシート状部材２で覆い密閉するものである。
【００２６】
基材１は略直方体状の箱部材であり、その開口部４は略矩形状に形成されている。開口部４の周縁には、水平方向外側に向けて延びる鍔部１０が形成されており、鍔部１０の上面に接着領域を設け、その接着領域にシート状部材２の周縁を接着するようになっている。
また、基材１の開口部４の四隅の１つは、開封用コーナー部Ｃとなっており、この開封用コーナー部Ｃでは、基材１の接着領域の外側にシート状部材２との非接着領域を設けて、開封時につまみ部５をつまんで、シート状部材２を基材１から剥離して開封するようになっている。
【００２７】
次に、実施形態１に係る包装容器１００の鍔部１０に設けられた接着領域について説明する。
図１は、包装容器１００の開封用コーナー部Ｃ及びその周囲を示す平面図である。図１中、斜線を引いた部分が接着領域１１１を示している。
図１に示すように、基部１の開口部４の周縁から水平方向外側に向けて延びる鍔部１０は、開口部４の四隅の１つである開封用コーナー部Ｃと、開封用コーナー部Ｃに接続された開封用コーナー部以外の部分Ａとから構成されている。そして、接着領域１１１は、開封用コーナー部Ｃにおける接着領域１１１ｃと、開封用コーナー部以外の部分Ａにおける接着領域１１１ａとから構成されている。
【００２８】
開封用コーナー部Ｃにおける接着領域１１１ｃは、外側の非接着領域１１２ｃ及び内側の非接着領域１１３ｃに挟まれて位置している。そして、開封用コーナー部Ｃの中心Ｔにおいて角部が形成され、角部で折曲されるように設けられている。ここで開封用コーナー部Ｃの中心Ｔとは、開封用コーナー部Ｃのうち最も外側に突出した部分である。
なお、内側の非接着領域１１３ｃは必ずしも設ける必要はなく、接着領域１１１ｃが鍔部１０の内縁に接するようにしてもよい。
【００２９】
図２は、図１のＸ−Ｘ拡大断面図であり、開封用コーナー部Ｃにおける基材１とシート状部材２との接着状態を示している。
図２に示すように、基材１の鍔部１０は、内側（図２における左側）から順に非接着領域１１３ｃ、接着領域１１１ｃ、非接着領域１１２ｃとなっている。
【００３０】
このうち、接着領域１１１ｃは、上方に盛り上がるように断面かまぼこ形に形成されており、非接着領域１１２ｃ，１１３ｃのいずれよりも高くなっている。
このように接着領域１１１ｃの接着面は湾曲しているため、その幅Ｗ1に対して接着面の方が長くなっている。
なお、本実施形態では接着領域１１１ｃの形状を断面かまぼこ形としたが、上方に盛り上がるように形成されていれば、その他の形状であってもよい。例えば、断面三角形状や断面矩形状としてもよい。
また、非接着領域１１３ｃと比べて、非接着領域１１２ｃの位置が低くなっており、これにより、基材１とシート状部材２の間に隙間６を確保して開封時につまみ部５をつまみやすいようにしている。なお、隙間６は必ずしも設ける必要はない。
【００３１】
一方、開封用コーナー部以外の部分Ａにおける接着領域１１１ａは、外側の非接着領域１１２ａ及び内側の非接着領域１１３ａに挟まれて位置している。接着領域１１１ａは、直線状に設けられている。
なお、外側の非接着領域１１２ａと内側の非接着領域１１３ａは、必ずしも設ける必要はなく、接着領域１１１ａが鍔部１０の幅方向全体にわたって設けられていてもよい。
【００３２】
図３は、図１のＹ−Ｙ拡大断面図であり、開封用コーナー部以外の部分Ａにおける基材１とシート状部材２との接着状態を示している。
図３に示すように、基材１の鍔部１０は、内側（図３における左側）から順に非接着領域１１３ａ、接着領域１１１ａ、非接着領域１１２ａとなっている。
【００３３】
このうち、接着領域１１１ａは、開封用コーナー部Ｃにおける接着領域１１１ｃと異なり、上方には盛り上がっていない。また、図３に示す接着領域１１１ａの幅Ｗ2と、図２に示す接着領域１１１ｃの幅Ｗ1を比較すると、接着領域１１１ｃの幅Ｗ1の方が狭くなっている。
また、非接着領域１１３ａと比べて、非接着領域１１２ａの位置が低くなっており、これにより、基材１とシート状部材２の間に隙間７を確保している。なお、隙間７は必ずしも設ける必要はない。
【００３４】
図４は、図１のＺ方向からみた鍔部１０の接着領域１１１を示す図である。
図４に示すように、接着領域１１１は、開封用コーナー部Ｃにおける接着領域１１１ｃと、開封用コーナー部以外の部分Ａにおける接着領域１１１ａから構成されている。
接着領域１１１ｃは、上方に盛り上がるように形成されており、上部が台地状になっている。また、開封用コーナー部Ｃにおける接着領域１１１ｃと開封用コーナー部以外の部分Ａにおける接着領域１１１ａとの境界部分１１１ｂは、開封用コーナー部以外の部分Ａの側から開封用コーナー部Ｃの側に向けて上向きのテーパー状に形成されている。
【００３５】
次に、図５及び図６を参照して、実施形態１に係る包装容器１００の開封時の状態について説明する。
図５は、実施形態１に係る包装容器１００の開封開始時の状態を示す断面図であり、図１のＸ−Ｘ拡大断面図に相当する。同様に、図６も開封開始時の状態を示す断面図であるが、図６は比較例として、実施形態１に係る包装容器１００と異なり、接着領域１１４ｃが上方に盛り上がっていない場合のものを示している。なお、接着領域１１１ｃと接着領域１１４ｃの幅はともにＷ1で等しい。
【００３６】
図５に示すように、実施形態１に係る包装容器１００において、開封開始時につまみ部５を斜め上方に引っ張ると、つまみ部５と接着領域１１１ｃの接線Ｌ1との間の角度はαとなる。
これに対して、図６に示す比較例のように、接着領域１１４ｃが上方に盛り上がっていない場合、開封開始時につまみ部５を図５と同様の角度で斜め上方に引っ張ると、つまみ部５と接着領域１１４ｃの接線Ｌ2との間の角度はβとなる。
ここで、図から明らかなように、α＞βであり、同じように斜め上方に引っ張った場合、実施形態１に係る包装容器１００の方が、つまみ部５と接着領域の接線との角度を大きくすることができ、開封開始時にシート状部材２を容易に引き剥がすことができる。
【００３７】
一方、接着領域１１１ｃと接着領域１１４ｃの幅はともにＷ1で等しいが、接着領域１１１ｃの接着面は湾曲しているため、その幅Ｗ1に対して接着面の方が長くなっており、接着領域１１１ｃの接着面の方が接着領域１１４ｃの接着面よりも長くなっている。
従って、接着領域全体の接着力は、接着領域１１１ｃの方が接着領域１１４ｃよりも大きい。
【００３８】
以上のように、接着領域１１１ｃを上方に盛り上げることで、十分な接着強度を確保しつつ、開封開始時に必要な力を低減させることができるようになっている。
【００３９】
実施形態１に係る包装容器１００によれば、基材１の下方に物品収納用の窪み３を形成し、略矩形状の開口部４をシート状部材２で覆い接着することにより、窪み３に物品を収納して密閉することができる。また、開口部４の周縁から水平方向に向けて延びる鍔部１０を設け、その鍔部１０の上面の接着領域１１１にシート状部材２を接着することにより、基材１内部を確実に密閉することができる。
また、開口部４の四隅の１つを開封用コーナー部Ｃとし、開封用コーナー部Ｃにおける接着領域１１１ｃの外側にシート状部材２との非接着領域１１２ｃを設けることにより、開封時のつまみ部５を形成するとともに、一方の手でつまみ部５を持ち、他方の手で非接着領域１１２ｃを持って、両者を引き離すようにして容易に開封することができる。
【００４０】
また、開封用コーナー部Ｃにおける接着領域１１１ｃを、上方に盛り上がるように形成したので、上方からみた接着領域１１１ｃの幅Ｗ1を変更することなく接着量を増大させることができ、十分な接着強度を確保することができる。また、従来のように接着領域１１４ｃが平坦な場合、接着領域１１４ｃの接線Ｌ2は水平方向となるのに対して、接着領域１１１ｃを上方に盛り上がるように形成した場合、剥離開始場所における接着領域１１１ｃの接線Ｌ1は内側から外側に向けて下向きとなる。従って、開封開始時には、接着領域１１１ｃの接線Ｌ1に対するつまみ部５の角度αを従来よりも大きくすることができ、開封開始時に必要な力を低減することができる。
【００４１】
また、開封用コーナー部Ｃにおける接着領域１１１ｃの幅を、開封用コーナー部以外の部分Ａにおける接着領域１１１ａの幅よりも狭くしたので、基材１とシート状部材２の十分な接着強度を確保しつつ、開封時に必要な力をさらに低減することができる。
【００４２】
また、開封用コーナー部Ｃにおける接着領域１１１ｃと開封用コーナー部以外の部分Ａにおける接着領域１１１ａとの境界部分１１１ｂの形状を、開封用コーナー部以外の部分Ａの側から開封用コーナー部Ｃの側に向けて上向きのテーパー状としたので、境界部分１１１ｂで接着領域１１１が急激に盛り上がることがなく、シート状部材２を基材１に確実に接着させることができる。
【００４３】
また、開封用コーナー部Ｃにおける接着領域１１１ｃを上方に盛り上げることで、触っただけで開封用コーナー部Ｃを認識することができ、どこから開封すればよいかがわかる。
【００４４】
なお、本実施形態においては、非接着領域１１２ｃとつまみ部５を平面視同一形状となるように形成したが、非接着領域１１２ｃよりも外側につまみ部５を突出させるようにしてもよい。
このように形成することにより、非接着領域１１２ｃとつまみ部５が密着して隙間６が塞がってしまっても、つまみ部５の突出した部分を持って開封を開始することができる。
【００４５】
次に、図７を参照して、本発明の実施形態２に係る包装容器について説明する。
実施形態２に係る包装容器２００は、実施形態１に係る包装容器１００とほぼ同様の構成であるが、開封用コーナー部Ｃにおける接着領域の垂直方向の形状が異なる。
図７は、実施形態２に係る包装容器２００の接着領域２１１を示す図であり、図１のＺ方向からみた図に相当する。
【００４６】
図７に示すように、接着領域２１１は、開封用コーナー部Ｃにおける接着領域２１１ｃと、開封用コーナー部以外の部分Ａにおける接着領域２１１ａから構成されている。
接着領域２１１ｃは、上方に盛り上がるように形成され、かつ周方向に沿って山形になるように形成されている。すなわち、図１に示す開封用コーナー部Ｃの中心Ｔにおける接着領域の上方への盛り上げ高さが最高となり、開封用コーナー部Ｃにおける接着領域２１１ｃと開封用コーナー部以外の部分Ａにおける接着領域２１１ａとの境界部分２１１ｂにおける上方への盛り上がり高さが最低となるように形成されている。
図７に示す山の頂点ｔの高さは、図１に示す開封用コーナー部Ｃの中心Ｔの位置の高さに相当するものである。そして、開封用コーナー部Ｃの中心Ｔは、開封開始時に最初にシート状部材２が基材１から剥離する部分である。
【００４７】
実施形態２に係る包装容器２００によれば、開封用コーナー部Ｃにおける接着領域２１１ｃを周方向に沿って山形に形成し、開封用コーナー部Ｃの中心Ｔにおける接着領域の上方への盛り上がり高さが最高となり、開封用コーナー部Ｃにおける接着領域２１１ｃと開封用コーナー部以外の部分Ａにおける接着領域２１１ａとの境界部分２１１ｂにおける上方への盛り上がり高さが最低となるようにしたので、開封用コーナー部Ｃの中心Ｔの盛り上がりを最も大きくすることができる。従って、開封用コーナー部Ｃの中心Ｔにおける接着量が最大となり、この部分で特に接着強度を高めることができる。さらに、開封用コーナー部Ｃの中心Ｔの剥離開始場所における接着領域２１１ｃの接線は、上方への盛り上がり高さが高い分だけより下向きとなる。そのため、接着領域２１１ｃの接線に対するつまみ部５の角度をより大きくすることができ、この部分で特に開封開始時に必要な力を低減することができる。最初に開ける部分は中心部なので、そこの開封に必要な力をさらに低減できるため、とっかかりにかかる力が少なくてすむ。
このように、開封の容易さと十分な接着強度の確保を、開封開始時に最初にシート状部材２が剥離する開封用コーナー部Ｃの中心Ｔで最も効果的に実現することができる。
【００４８】
なお、実施形態１及び実施形態２においては、図１に示すように、開封用コーナー部Ｃにおける接着領域１１１ｃの水平方向の形状を、開封用コーナー部Ｃの中心Ｔにおいて角部が形成され、角部で折曲されるような形にしたが、接着領域１１１ｃの水平方向の形状はこれに限定されるものではない。例えば図８に示す接着領域１１５ｃのように、開封用コーナー部Ｃに沿って曲線状に湾曲するように形成されていてもよい。
さらに、図９に示す接着領域１１６ｃのように、開封用コーナー部Ｃにおける接着領域１１６ｃの幅と、開封用コーナー部以外の部分Ａにおける接着領域１１６ａの幅を同じにしてもよい。
【００４９】
次に、図１０及び図１１を参照して、本発明の実施形態３に係る包装容器について説明する。図１０は、実施形態３に係る包装容器３００を示す平面図であり、図１１は図１０のＤ−Ｄ断面図である。
【００５０】
実施形態３に係る包装容器３００は、実施形態１に係る包装容器１００と異なり、基材１が略円筒状の部材であり、その開口部４は略円形に形成されている。開口部４の周縁には、水平方向外側に向けて延びる鍔部１０が形成されており、鍔部１０の上面に接着領域を設け、その接着領域に略円形のシート状部材２の周縁を接着するようになっている。
また、開口部４の周縁に設けた鍔部１０の一部を水平方向外側に突出させて開封用コーナー部Ｃを形成してある。この開封用コーナー部Ｃでは、基材１の接着領域の外側にシート状部材２との非接着領域３１２ｃを設けて、開封時につまみ部５をつまんで、シート状部材２を基材１から剥離して開封するようになっている。
【００５１】
実施形態３に係る包装容器３００の接着領域３１１は、開封用コーナー部Ｃにおける接着領域３１１ｃと、開封用コーナー部以外の部分Ａにおける接着領域３１１ａとから構成されている。接着領域３１１ｃは、開封用コーナー部Ｃの中心Ｔにおいて角部が形成され、角部で折曲されるように設けられている。ここで開封用コーナー部Ｃの中心Ｔとは、開封用コーナー部Ｃのうち最も外側に突出した部分である。
一方、開封用コーナー部以外の部分Ａにおける接着領域３１１ａは、接着領域３１１ｃの両端を接続するように円形に設けられている。
図１１に示すように、接着領域３１１ｃは、上方に盛り上がるように断面かまぼこ形に形成されている。また、接着領域３１１ａは、開封用コーナー部Ｃにおける接着領域３１１ｃと異なり、上方には盛り上がっていない。
【００５２】
実施形態３に係る包装容器３００によれば、基材１の下方に物品収納用の窪み３を形成し、開口部４をシート状部材２で覆い接着することにより、窪み３に物品を収納して密閉することができる。また、開口部４の周縁から水平方向に向けて延びる鍔部１０を設け、その鍔部１０の上面の接着領域３１１にシート状部材２を接着することにより、基材１内部を確実に密閉することができる。
また、開口部４の周縁に設けた鍔部１０の一部を水平方向外側に突出させて開封用コーナー部Ｃとし、開封用コーナー部Ｃにおける接着領域３１１ｃの外側にシート状部材２との非接着領域３１２ｃを設けることにより、開封時のつまみ部５を形成するとともに、一方の手でつまみ部５を持ち、他方の手で非接着領域３１２ｃを持って、両者を引き離すようにして容易に開封することができる。
【００５３】
また、開封用コーナー部Ｃにおける接着領域３１１ｃを、上方に盛り上がるように形成したので、上方からみた接着領域の幅を変更することなく接着量を増大させることができ、十分な接着強度を確保することができる。また、従来のように接着領域が平坦な場合、接着領域の接線は水平方向となるのに対して、接着領域３１１ｃを上方に盛り上がるように形成した場合、剥離開始場所における接着領域３１１ｃの接線は内側から外側に向けて下向きとなる。従って、開封開始時には、接着領域３１１ｃの接線に対するつまみ部５の角度を従来よりも大きくすることができ、開封開始時に必要な力を低減することができる。
なお、実施形態３では基材１を略円筒状の部材としたが、基材１の形状や開口部４の形状は特に限定されず、どのような形状であっても、開口部４の周縁に設けた鍔部１０の一部を水平方向外側に突出させて開封用コーナー部Ｃを形成すればよい。
【００５４】
次に、図１２及び図１３を参照して、本発明の実施形態４に係る包装容器について説明する。
実施形態４に係る包装容器４００は、実施形態１に係る包装容器１００とほぼ同様の構成であるが、開封用コーナー部Ｃにおける接着領域の垂直方向の形状が異なる。さらに、開封用コーナー部Ｃにおける非接着領域に突起を設けた点が異なる。
図１２は、実施形態４に係る包装容器４００の開封用コーナー部Ｃ及びその周辺を示す平面図であり、図１３は図１２のＥ−Ｅ拡大断面図である。
【００５５】
図１２に示すように、包装容器４００の接着領域４１１は、開封用コーナー部Ｃにおける接着領域４１１ｃと、開封用コーナー部以外の部分Ａにおける接着領域４１１ａから構成されている。また、接着領域４１１ｃの外側には非接着領域４１２ｃが設けられている。
ここで図１３に示すように、接着領域４１１ｃは上方に盛り上がることなく平坦に形成されている。
【００５６】
さらに、非接着領域４１２ｃには、突起８が設けられている。この突起８を設けることで、つまみ部５と非接着領域４１２ｃの間に必ず隙間が生じるようになっている。
本実施形態においては、突起８の形状を平面視円形で断面かまぼこ形の形状としたが、これに限らず、つまみ部５と非接着領域４１２ｃの間に隙間を生じさせるものであれば、形状は限定されない。
【００５７】
実施形態４に係る包装容器４００によれば、開封用コーナー部Ｃにおける非接着領域４１２ｃに突起８を設けたので、非接着領域４１２ｃとつまみ部５の隙間が塞がれることがなく、つまみ部５を容易に持つことができる。
【００５８】
なお、実施形態４に係る包装容器４００において、接着領域４１１ｃを実施形態１と同様に上方に盛り上がるように形成して、接着強度を確保しつつ開封が容易となるように構成してもよい。
【００５９】
また、上記実施形態においては、開封用コーナー部を１つとしたが、２つ以上の開封用コーナー部を設けてもよい。
また、上記実施形態においては、プラスチックを用いたブリスター包装容器を例にとって説明したが、紙製の容器等にも適用することが可能である。
【図面の簡単な説明】
【００６０】
【図１】実施形態１に係る包装容器の開封用コーナー部及びその周囲を示す平面図である。
【図２】図１のＸ−Ｘ拡大断面図である。
【図３】図１のＹ−Ｙ拡大断面図である。
【図４】実施形態１に係る包装容器の接着領域を示す図である。
【図５】実施形態１に係る包装容器の開封開始時の状態を示す断面図である。
【図６】実施形態１に係る包装容器との比較例の開封開始時の状態を示す断面図である。
【図７】実施形態２に係る包装容器の接着領域を示す図である。
【図８】他の実施形態に係る包装容器の開封用コーナー部及びその周囲を示す平面図である。
【図９】他の実施形態に係る包装容器の開封用コーナー部及びその周囲を示す平面図である。
【図１０】実施形態３に係る包装容器を示す平面図である。
【図１１】図１０のＤ−Ｄ断面図である。
【図１２】実施形態４に係る包装容器の開封用コーナー部及びその周囲を示す平面図である。
【図１３】図１２のＥ−Ｅ拡大断面図である。
【図１４】包装容器を示す斜視図である。
【符号の説明】
【００６１】
１      基材
２      シート状部材
３      窪み
４      開口部
５      つまみ部
６      隙間
７      隙間
８      突起
１０      鍔部
１００      包装容器
１１１      接着領域
１１２      非接着領域
１１３      非接着領域
１１４      接着領域
１１５      接着領域
１１６      接着領域
２００      包装容器
２１１      接着領域
３００      包装容器
３１１      接着領域
３１２      非接着領域
４００      包装容器
４１１      接着領域
４１２      非接着領域
Ａ      開封用コーナー部以外の部分
Ｃ      開封用コーナー部
Ｔ      開封用コーナー部の中央
【図１】
2007297080.tif 000003
【図２】
2007297080.tif 000004
【図３】
2007297080.tif 000005
【図４】
2007297080.tif 000006
【図５】
2007297080.tif 000007
【図６】
2007297080.tif 000008
【図７】
2007297080.tif 000009
【図８】
2007297080.tif 000010
【図９】
2007297080.tif 000011
【図１０】
2007297080.tif 000012
【図１１】
2007297080.tif 000013
【図１２】
2007297080.tif 000014
【図１３】
2007297080.tif 000015
【図１４】
2007297080.tif 000016